(57)【要約】【課題】軽量で、運搬し易く、組み立て、分解、一部取り替え等が容易で且つ低コストで行え、リサイクル使用に非常に優れたパレットの提供を課題とする。【解決手段】荷物を載せるための天板１０と、該天板１０と結合されることで天板１０を下から支持すると共に接地に供される基礎脚２０からなるパレット１であって、前記天板１０には、紙製又はプラスチック製のダンボール板を用いると共に前記基礎脚２０との結合に用いる結合用片１１を複数の結合用片切込み目として設け、前記基礎脚２０には、発泡樹脂を含む樹脂を用いると共にその長手方向となる両側壁に複数の結合用溝２１を設け、前記天板１０の結合用片切込み目を曲げ起こしてなる結合用片１１を前記基礎脚２０の結合用溝２１に対して着脱自在に係合することで、基礎脚２０と天板１０とを一体的に結合させる。【選択図】      図１
2007297095.tif 000002
【特許請求の範囲】
【請求項１】
荷物を載せるための天板と、該天板と結合されることで天板を下から支持すると共に接地に供される基礎脚からなるパレットであって、前記天板には、紙製又はプラスチック製のダンボール板を用いると共に前記基礎脚との結合に用いる結合用片を複数の結合用片切込み目として設け、前記基礎脚には、発泡樹脂を含む樹脂を用いると共にその長手方向となる両側壁に複数の結合用溝を設け、前記天板の結合用片切込み目を曲げ起こしてなる結合用片を前記基礎脚の結合用溝に対して着脱自在に係合することで、基礎脚と天板とを一体的に結合させることを特徴とするパレット。
【請求項２】
天板の結合用片は折曲げ基部とその先に構成された幅広部からなり、基礎脚の結合用溝は受入れ溝部と該受入れ溝部の一部を拡径して構成された抜止め用ポケット部とからなり、天板の前記結合用片切込み目を下方に曲げ起こすことで得られる結合用片を、該結合用片の折曲げ基部で前記基礎脚の結合用溝の受入れ溝部に嵌め合わせると共に結合用片の幅広部を前記結合用溝の抜止め用ポケット部まで圧入して抜止め係合させてあることを特徴とする請求項１に記載のパレット。
【請求項３】
天板の結合用片の折曲げ基部の長さを、基礎脚の上面から結合用溝の抜止め用ポケット部までの距離に対応させてあることを特徴とする請求項２に記載のパレット。
【発明の詳細な説明】
【技術分野】
【０００１】
本発明は物流等において荷物を載せて梱包したり、運搬したりするのに用いられるパレットに関する。
【背景技術】
【０００２】
従来、工場や作業場、その他の場所で使用されているパレットとしては木製材を用い、すのこ状等の天板を基礎脚と釘で結合してパレットにしたものが一般的であった。この従来の木製パレットの場合には、リサイクル使用に際して、一部を取り替えたり分解して再生を行うのに、打ち付けていた多数の釘を抜いたりする必要があり、作業時間や人件費等の作業コストがかかるという問題があった。またパレット自体の重量が重いという問題があった。
一方、特開平８−２７６９３４号公報には、発泡樹脂で構成されたパレットが提供されている。
【特許文献１】特開平８−２７６９３４号公報
【発明の開示】
【発明が解決しようとする課題】
【０００３】
上記特許文献１に示すようなパレットは、非常に軽量である点においてパレットの利点となるものであるが、その一方、全体が一体成形物的に構成されているため、パレットの一部だけが破損した場合においても、全体が使用不能となり、一部を補修したり、取り替えたりすることができないため、リサイクル使用に向かないという問題があった。
【０００４】
そこで本発明は上記従来技術の問題を解決し、軽量で、運搬し易く、また組み立て、分解、一部取り替え等が容易で且つ低コストで行うことができ、リサイクル使用に非常に優れたパレットの提供を課題とする。
【課題を解決するための手段】
【０００５】
上記課題を達成するための本発明のパレットは、荷物を載せるための天板と、該天板と結合されることで天板を下から支持すると共に接地に供される基礎脚からなるパレットであって、前記天板には、紙製又はプラスチック製のダンボール板を用いると共に前記基礎脚との結合に用いる結合用片を複数の結合用片切込み目として設け、前記基礎脚には、発泡樹脂を含む樹脂を用いると共にその長手方向となる両側壁に複数の結合用溝を設け、前記天板の結合用片切込み目を曲げ起こしてなる結合用片を前記基礎脚の結合用溝に対して着脱自在に係合することで、基礎脚と天板とを一体的に結合させることを第１の特徴としている。
また本発明のパレットは、上記第１の特徴に加えて、天板の結合用片は折曲げ基部とその先に構成された幅広部からなり、基礎脚の結合用溝は受入れ溝部と該受入れ溝部の一部を拡径して構成された抜止め用ポケット部とからなり、天板の前記結合用片切込み目を下方に曲げ起こすことで得られる結合用片を、該結合用片の折曲げ基部で前記基礎脚の結合用溝の受入れ溝部に嵌め合わせると共に結合用片の幅広部を前記結合用溝の抜止め用ポケット部まで圧入して抜止め係合させてあることを第２の特徴としている。
また本発明のパレットは、上記第２の特徴に加えて、天板の結合用片の折曲げ基部の長さを、基礎脚の上面から結合用溝の抜止め用ポケット部までの距離に対応させてあることを第３特徴としている。
【発明の効果】
【０００６】
請求項１に記載のパレットによれば、基礎脚の結合用溝に対して天板の結合用片を折り曲げて着脱自在に係合させることで、基礎脚の上に天板が一体的に結合されたパレットが簡単に形作られて完成となる。また基礎脚の結合用溝部から天板の結合用片を脱することで、パレットを簡単に分解することが可能となる。よってパレットの完成と分解とを、釘などを使用することなく、非常に簡単、容易に短時間で効率よく行うことができ、すぐに再使用に供することができる。即ち、パレットのリサイクル使用とその補修等に非常に適したものとすることができる。
そしてパレットの天板を紙製又はプラスチック製とすることで、軽量で且つ材料コストを十分に低減することができる。
特に天板の材料を紙製又はプラスチック製とすることで、結合用片を結合用片切込み目として天板に設ける場合に、その結合用切込み目の成形をプレス等で切込み成形することで容易に行うことが可能であると共に、その切込み目を作業者が自らの手で容易に曲げ起こして、且つ曲げ起こし片が切断されてしまうことなく、結合用片に完成させることが可能となる。
またパレットの基礎脚を発泡樹脂を含む樹脂製とすることで、パレットを軽量で且つ材料コストを十分に低減することができる。またパレットの脚部が水等に対して濡れ難く、よって製品の保護に通じると共に、作業性を良くすることができる。そしてパレットの破損し易い基礎脚を発泡樹脂を含む樹脂製としたことで、破損した基礎脚を容易に、低コストで取り替えすることができる。
更に天板をダンボール板で構成し且つ基礎脚を発泡樹脂を含む樹脂で構成することで、天板を構成するダンボールが載置外力に対する緩衝性を発揮し、しかも基礎脚を構成する発泡樹脂を含む樹脂が接地圧力等に対する緩衝性を発揮するので、この２つの部材からなるパレットは、パレット自体の強度を高めることができると共に、荷物に加わる衝撃を十分に吸収して荷物の保護を良好に行うことが可能となる。
加えて、本発明のパレットを用いて梱包した荷物を段済みした場合でも、本パレットが軽量であることにより下段の荷物及びパレットに負担とならず、また基礎脚を発泡樹脂を含む樹脂製にすることにより製品の保護に優れる。
【０００７】
請求項２に記載のパレットによれば、上記請求項１に記載の構成による作用効果に加えて、結合用片切込み目を下方に曲げ起こすことで得られる結合用片を、折曲げ基部とその先に構成された幅広部とで構成し、一方、基礎脚の結合用溝を受入れ溝部とその一部を拡径して構成された抜止め用ポケット部とで構成したので、前記下方に曲げ起こされた結合用片の折曲げ基部を前記基礎脚の結合用溝の受入れ溝部に嵌め合わせると共に、結合用片の幅広部を結合用溝の抜止め用ポケット部に圧入することで、結合用片と結合用溝とを簡単な構成で且つ簡単、容易な作業にて確実に抜止め係合して一体化することができる。
【０００８】
また請求項３に記載のパレットによれば、上記請求項２に記載の構成による作用効果に加えて、天板の結合用片の折曲げ基部の長さを、基礎脚の上面から結合用溝の抜止め用ポケット部までの距離に対応させてあるので、天板の結合用片と基礎脚とが結合された際に、両者の間に遊びやガタが生じるのをなくすことができ、よって天板と基礎脚との結合を強固に、確実に行うことができる。
【発明を実施するための最良の形態】
【０００９】
以下の図面を参照して、本発明の実施形態に係るパレットついて説明する。
図１は本発明の実施形態に係るパレットの全体斜視図、図２は本発明の実施形態に係るパレットの天板を示した平面図、図３は天板の結合用片と基礎脚の結合用溝との係合状態を示す拡大側面図、図４は基礎脚の結合用溝の配置状態を示す正面図、図５は天板の結合用片と基礎脚の結合用溝との係合状態を示す図１のＡ―Ａ断面図である。
【００１０】
図１を参照して、パレット１は天板１０と基礎脚２０とで構成されている。前記天板１０には結合用片１１が設けられている。また基礎脚２０には結合用溝２１が設けられている。
【００１１】
天板１０は、本実施形態では紙製のダンボール板を使用し、これを長方形状にして用いている。天板１０は１枚のダンボール板で構成する他、複数枚のダンボール板をその目（フルート）の方向が相互に直角になるようにして張り合わせたものを用いることができる。
前記基礎脚２０は、本実施形態では例えば発泡スチロールからなる発泡樹脂を使用し、これを一対の基礎脚２０、２０として用いている。各基礎脚２０はその断面を矩形とすると共に、その長さを前記天板１０の長手方向寸法と同じ長さにしている。
【００１２】
図２、図３、図５を参照して、前記天板１０の結合用片１１は、天板１０に結合用片切込み目１２として切込み構成されている。この結合用片切込み目１２を曲げ起こすことで結合用片１１が切起し片として完成される。
結合用片１１は、前記基礎脚２０の結合用溝２１に対して着脱自在に係合させるための片であり、折曲げ基部１１ａとその先に構成される幅広部１１ｂとからなる。幅広部１１ｂは、本実施形態では折曲げ基部１１ａから徐々に幅が広がるように構成されている。
結合用片１１は、各基礎脚２０の長手方向となる両側壁に構成される結合用溝２１の位置にそれぞれ対応して、天板１０に構成される。本実施形態では天板１０の長手方向の両側縁において、それぞれ２つの結合用片切込み目１２、１２が側縁から切込み構成されている。一方、前記２つの結合片用切込み目１２、１２の中間位置において、側縁から一定の距離だけ離れた位置に、前記２つの結合片用切込み目１２、１２とは逆向きの１つの結合用片切込み目１２が構成されている。このようにして相互に逆向きの結合用切込み目１２を構成することにより、それら逆向きの結合用切込み目１２をそれぞれ下方に曲げ起こすことで、各結合用片１１が基礎脚２０の両側壁を両側から挟み込むような状態で各結合用溝２１に当接して嵌め合わされ、係合させることができる。これによって天板１０と基礎脚２０とが確実に結合される。
【００１３】
図４も参照して、基礎脚２０の両側面に構成される結合用溝２１は、前記天板１０の結合用片１１を着脱自在に受け入れて係合させるための溝であり、受入れ溝部２１ａとその一部を幅方向に拡径して構成された抜止め用ポケット部２１ｂとからなる。
前記受入れ溝部２１ａは前記結合用片１１の折曲げ基部１１ａを受け入れる溝である。また前記抜止め用ポケット部２１ｂは前記結合用片１１の幅広部１１ｂが入り込むことで抜止め係合されるポケット部である。
抜止め用ポケット部２１ｂは、基礎脚２０上面から前記折曲げ基部１１ａの長さに対応した所定距離だけ下がった受入れ溝部２１ｂの位置から下方において、溝の幅方向に拡径されたポケット空間として構成されている。即ち、抜止め用ポケット部２１ｂは、前記受入れ溝部２１ｂに対してその溝の一部を幅方向に掘り込んだ状態に拡径されて構成されており、これによって抜止め用ポケット部２１ｂに天井２２と内壁２３とが構成されている。
従って結合用片１１をその折曲げ基部１１ａで結合用溝２１の受入れ溝部２１ａに嵌め合わせ、幅広部１１ｂを前記受入れ溝部２１ａを介して抜止め用ポケット部２１ｂに一旦圧入すると、抜止め用ポケット部２１ｂに入った幅広部１１ｂは前記基礎脚２０の天井２２の存在によって上方に抜け出ることが阻止される。また幅広部１１ｂは前記内壁２３の存在によって逆戻り方向に抜け出ることも阻止される。勿論、前記抜止め用ポケット部２１ｂに係合された結合用片１１は、適当な力を加えることで前記内壁２３による抵抗に抗して、係合を脱することができる。即ち、天板１０と基礎脚２０とを結合状態から分解することができる。
【００１４】
前記基礎脚２０の上面から抜止め用ポケット部２１ｂまでの所定距離を、天板１０の結合用片１１の折曲げ基部１１ａの長さに対応させることで、係止用片１１の幅広部１１ｂが結合用溝２１の抜止め用ポケット部２１ｂに過不足なくちょうど係合され、抜止め用ポケット部２１ｂの天井２２に接して、上方への移動が阻止される。即ち、天板１０と基礎脚２０との間に好ましくない隙間が生じないようにすることができる。この場合において前記所定距離を折曲げ基部１１ａの長さに対応させるとは、端的には多少の製造誤差を含めて同一長さとすることである。しかし折曲げ基部１１ａの長さを僅かに長くして、幅広部１１ｂが抜止め用ポケット部２１ｂに確実に入るようにしておくこともできる。なお幅広部１１ｂの幅が折曲げ基部１１ａから徐々に広がるように構成することで、折曲げ基部１１ａの長さと前記所定距離との多少の寸法誤差があっても、これを吸収して、幅広部１１ｂを抜止め用ポケット部２１ｂに確実に接して係合させることが可能となる。
【００１５】
天板１０と基礎脚２０とによるパレット１の組み立てを説明する。
先ず天板１０の下面に接して基礎脚２０を配置すると共に、基礎脚２０の側壁面が天板１０の側縁に一致するようにして配置する。これによって天板１０の各結合用片切込み目１２の位置が基礎脚２０の各結合用溝２１の位置に対応する。次に天板１０の前記各結合用片切込み目１２を順次下方に折り曲げることで、結合用片１１を下方に曲げ起こして形成すると共に、結合用片１１の折曲げ基部１１ａを対応する結合用溝２１の受入れ溝部２１ａに嵌め合わせ、同時に受入れ溝部２１の幅より広い幅を持つ幅広部２１ｂを強引に曲げながら圧入して、抜止め用ポケット部２１ｂ内に係合する。以上のようにして、天板１０と一対の各基礎脚２０とを結合することでパレット１が完成される。
【００１６】
天板１０が破損した場合は、パレット１を天板１０と基礎脚２０とに分解することで、天板１０だけを新しいものに取り替え、新しい天板１０と元の基礎脚２０とを結合することで、パレット１を再生してリサイクル使用することができる。
また基礎脚２０の一方が破損した場合には、その破損した基礎脚２０だけを天板１０から取り外し、代わりに新しい基礎脚２０を結合することで、再使用することができる。
以上のようにして、パレット１のリサイクルに際しては、労せず簡単に、短時間で分解ができる。そして破損のある基礎脚２０或いは天板１０を取り替えて、速やかに再生し、リサイクル使用の準備を整えることができる。
【００１７】
上記の実施形態によるパレット１によれば、パレット１の完成と分解とを、釘などを使用することなく、非常に簡単、容易に、短時間で効率よく行うことができ、使用に供することができる。よってパレット１のリサイクル使用とその補修等に非常に適したものとすることができる。
またパレット１の天板１０を紙製やプラスチック製とすることで、軽量で且つ材料コストを十分に低減することができる。特に刃物による切込みが容易であるので、結合用片１１を結合用片切込み目１２として設ける場合に、該結合用片切込み目１２の形成を容易に行うことが可能であり、またその結合用片切込み目１２を組み立て作業者が容易に曲げ起こして結合用片１１とすることが可能となる。
またパレット１の基礎脚２０を発泡樹脂製とすることで、パレット１を軽量で且つ材料コストを十分に低減することができると共に、基礎脚２０が水等に対して濡れ難く、製品の保護及び作業性を良くすることができる。また破損し易い基礎脚２０を発泡樹脂製としたことで、容易に低コストで取り替えすることができる。
また天板１０をダンボール板で構成し且つ基礎脚２０を発泡樹脂で構成することで、天板１０を構成するダンボールが載置外力に対する緩衝性を発揮し、しかも基礎脚２０を構成する発泡樹脂が接地圧力等に対する緩衝性を発揮するので、パレット１自体の耐久強度を高めることができると共に、荷物に加わる衝撃を十分に吸収して荷物の保護を良好に行える。
【００１８】
加えて本発明のパレット１を用いて梱包した荷物を段済みした場合でも、本パレット１が軽量であることにより下段の荷物及びパレット１に負担とならず、また基礎脚２０を発泡樹脂にしたことにより製品の保護に優れる。
また天板１０を構成するダンボール板に結合用片切込み目１２を設けて、パレット１の組み立ての際に必要に応じて結合用片切込み目１２から結合用片１１を完成するようにしているので、天板１０をパレット１の組み立て前の状態で保管する際に、非常に嵩低く、また結合用片１１を破損等することなく保有させることができる。またダンボール板への結合用片切込み目１２の作成は非常に容易であり、短時間で大量に形成することができ、結合用片１１作成のための人的コスト、時間的コストを十分に低減することができる。
また天板１０と基礎脚２０との結合を、天板１０の結合用片１１の折曲げ基部１１ａを基礎脚２０の結合用溝２１の受入れ溝部２１ａに嵌め合わせると共に、結合用片１１の幅広部１１ｂを結合用溝２１の抜止め用ポケット部２１ｂに圧入することで行うようにしているので、結合用片１１と結合用溝２１とを簡単な構成で且つ簡単容易な作業にて確実に抜止め係合することができ、分解も容易である。
また天板１０の結合用片１１の折曲げ基部１１ａの長さを、基礎脚２０の上面から結合用溝２１の抜止め用ポケット部２１ｂまでの距離に対応させてあるので、天板１０の結合用片１１の幅広部１１ｂと基礎脚２０の結合用溝２１の抜止めポケット部２１ｂとの係合に遊びが生じないようにすることができ、よって天板１０と基礎脚２０との結合を強固に確実に行うことができる。
【００１９】
上記実施形態において、天板１０は紙製のダンボール板を用いているが、プラスチック製ダンボール板を用いることも可能である。また天板１０を長方形状としているが、正方形状でもよい。またそれら以外の形状とすることも可能である。
前記基礎脚２０は２本を一対で用いているが、３本以上で用いることも可能である。また基礎脚２０の断面は矩形の他、正方形状であってもよい。その他、天板１０の下面に安定して接面することができると共に、天板１０の結合用片１１と確実に且つ容易に係合することができる結合用溝２１を両側壁に構成できるものであれば、他の断面形状であっても可能である。但し、長方形状や正方形状の断面が脚としては好ましい。
【図面の簡単な説明】
【００２０】
【図１】本発明の実施形態に係るパレットの全体斜視図である。
【図２】本発明の実施形態に係るパレットの天板を示した平面図である。
【図３】天板の結合用片と基礎脚の結合用溝との係合状態を示す拡大側面図である。
【図４】基礎脚の結合用溝の配置状態を示す正面図である。
【図５】天板の結合用片と基礎脚の結合用溝との係合状態を示す図１のＡ―Ａ断面図である。
【符号の説明】
【００２１】
１      パレット
１０    天板
１１    結合用片
１１ａ  折曲げ基部
１１ｂ  幅広部
１２    結合用片切込み目
２０    基礎脚
２１    結合用溝
２１ａ  受入れ溝部
２１ｂ  抜止めポケット部
２２    天井
２３    内壁
【図１】
2007297095.tif 000003
【図２】
2007297095.tif 000004
【図３】
2007297095.tif 000005
【図４】
2007297095.tif 000006
【図５】
2007297095.tif 000007